(57)【要約】      （修正有）【課題】卓球練習時のボール集め具において、集球したボールを排出する時の集球部と排球部間の境界部の上部スペースの開閉をスムーズに行う為の開閉用の補助具を提供する。【解決手段】集球具１は、フレーム２とボールの保持部３（ネット使用）と柄９から成る。フレーム２の集球部７の面には伸縮性の細長状物をボールより狭い間隔で張り、排球部８の面はそのまま開放の状態。境界部５の上部の保持部３の上に押え具４（伸縮性ゴムバンド使用）を縮んだ状態で設け、その上に補助具１１を装着。集球中はボールが排球部８の方へ行かない様に、縮んだ状態の押え具４で保持部３を押えておく。排球時は、補助具１１を引っ張り、押え具４を介して保持部３をＹ方向へ引上げ、境界部５の上部にスペースを作りボールを排球。【選択図】図１
0003167222.tif 000002
【実用新案登録請求の範囲】
【請求項１】
フレーム２で囲まれた開口部分を境界部５で集球部７と排球部８とに仕切り、更にその上面部分に保持部３を設けた集球具１において、境界部５とその上面部分の保持部３との間の開閉をスムーズに行う為の開閉用の補助具１１を、境界部５の上面部分の保持部３や押え具４等に設ける事を特徴とした卓球用集球具。
【請求項２】
上記開閉用の補助具１１が、球状、棒状、多角形状、リング状、板状、シート状、紐状、或いはそれらの組合わせ形状、更にはそれらに窪みや穴等を設けたもの等である事を特徴とした上記請求項１に記載の卓球用集球具。
【考案の詳細な説明】
【技術分野】
【０００１】  本考案は、卓球練習時のボール集め具、特にその集球面に丸状や帯状の伸縮性の細長状物を張って成る集球具において、集球したボールを排出する時の集球部と排球部間の境界部の上部スペースの開閉をスムーズに行う為の開閉用の補助具に関するものである。
【背景技術】
【０００２】  卓球練習時に、床面に散乱した多数のボールを集める方法としては、現在は虫取り網等を利用したすくい取り式の方法が多用されている。更に、特許文献１〜５の様な方法も提案されている。こちらは、すくい取るのではなく、例えばすくい取り式集球具のフレーム２で囲まれた開口部に細長状物６をボールの直径より狭い間隔で張り、その細長状物６を張った面をボールの上から被せ押さえてボールを集める方法である。【０００３】  この押えて集球する方法の中でも、特許文献４や５の方法はフレーム２で囲まれた開口部を集球部７と排球部８とに区切り、その集球部７の方にのみ細長状物６を張りここで集球する。したがって、ここに集めたボールを使用する時や別の容器に移し替える時には、ボールをその集球し保持している保持部３から取出す必要がある。特許文献においては、それぞれの方法が提案されているが、本考案は特に特許文献４や５におけるボールの取出しを更にやり易くするための方法に関するものである。
【先行技術文献】
【特許文献】
【０００４】
【特許文献１】実開昭６３−０４３５６５。
【特許文献２】登録実用新案第３００１２７７。
【特許文献３】特許登録第３６６０５８５。
【特許文献４】特願２００８−６６８０１
【特許文献５】特願２０１０−２２５６１
【考案の概要】
【考案が解決しようとする課題】
【０００５】  特許文献４や５で提案されている卓球用集球具において、保持部３に集球されたボールを取り出す時、特に境界部５とその上部の保持部３との間の間隔を開閉してボールの保持と排出とをコントロールして取り出す時には、その間隔をボールが通れる大きさに開き、ボールがそこを通り排球部８の方へ移動出来る様にする必要がある。その間隔のコントロールに、特許文献４では落下防止具を、特許文献５では押え具を使用している。【０００６】  特許文献４や５の方法でも開閉はそれなりに可能であるが、集球具のサイズや形状、押え具等の種類形状等によってはスムーズさを欠く事がある。また、集球具を使用中はその開閉頻度はかなりなものである。したがって、その開閉がより簡単容易に且つ確実に出来る様に改善を求められており、本考案はその課題解決を目的としたものである。
【課題を解決するための手段】
【０００７】  上記課題を、フレーム２で囲まれた開口部分を境界部５で集球部７と排球部８とに仕切りその上面部分に保持部３を設けた集球具１において解決する為に、境界部５とその上面部分の保持部３との間の開閉をスムーズに行う為の開閉用の補助具１１を、境界部５の上面部分の保持部３や押え具４等に設ける方法によって解決した。【０００８】  更に、上記開閉用の補助具１１が、球状、棒状、多角形状、リング状、板状、シート状、紐状、或いはそれらの組合わせ形状、更にはそれらに窪みや穴等を設けたもの等であるものを使用する方法によって解決した。
【考案の効果】
【０００９】  集球具の境界部とその上部保持部との間のスペースの開閉は、集球具のサイズや形状、押え具の種類形状などによってはスムーズさを欠く場合があった。しかし、本考案の補助具を使用する事により、開閉操作が大変スムーズに且つ確実に出来るようになり、しかも頻繁に開閉操作を繰り返しても苦にならなくなり大変使い易くなった。
また、補助具には印刷や刻印等をしたり、キャラクターグッズ類などを使用する事等も可能であり、個人や企業等のＰＲや識別手段等にも活用出来るという効果も得られた。
【図面の簡単な説明】
【００１０】
【図１】本考案の開閉補助具装着の卓球用集球具の正面図。
【図２】本考案の開閉補助具装着の卓球用集球具の平面図。
【図３】上記（図２）に示すＸ−Ｘ’視野での断面図。
【図４】本考案のかまぼこ型開閉補助具の斜視図。
【図５】本考案の各種開閉補助具。
【図６】本考案開閉補助具を装着する前の卓球用集球具。
【図７】上記（図６）の集球具を使ってのボールの集球と排球の図。
【考案を実施するための形態】
【００１１】  本考案の課題解決の為に種々検討の結果、手や指等でつまんだり、つかんだり、握ったり、引っかけたり等がやり易い形状の開閉用の補助具１１を設ければ解決出来る事を見出した。この方法の場合、補助具１１をつかんだりして引っ張れば、押え具４を介して境界部５と保持部３との間にはスペースが容易に出来る上に、指や手等を離せば閉じるので、開閉操作がワンタッチ的に出来て、今まで以上に簡単確実に操作出来る様になった。
【００１２】  上記の開閉用の補助具１１としては、例えば、球状や棒状、多角形状、リング状、板状、シート状、紐状、リボン状、それらの組合わせ形状、それらに窪みや穴等を設けたもの等が適している。
以下、実施例で、本考案について更に説明する。
【実施例１】
【００１３】  本実施例は、かまぼこ型の中央部分をくり抜き空洞としたものを開閉用の補助具１１として使用した例で、図１〜４にその実施例図を示す。図１はかまぼこ型の補助具１１を装着した集球具１の正面図、図２はその平面図、図３は図２に示すＸ−Ｘ’視野での断面図、図４は使用したかまぼこ型の補助具１１の斜視図である。【００１４】  本実施例に示す本考案の集球具１は図１から図３に示すものであるが、補助具１１（図４）を装着する前の集球具は、図６（イ）〜（ハ）に示す集球具１Ａである。図６の（イ）はその正面図を、（ロ）は平面図を、（ハ）は底面図を示す。【００１５】  図６の集球具１Ａはフレーム２に保持部３（ネット使用）と柄９（竹使用）を設け、更にフレーム２の内面を境界部５（平板を使用）で左右に区分し、左側の面には細長状物６（伸縮性を有するゴム紐を使用）をボール６の直径より狭い間隔で張り集球部７を形成し、右側の面はそのままで排球部８としたものである。【００１６】  また、境界部５の上方部分の保持部３の上には押え具４を設けた。押え具４には伸縮性を有するゴムバンド状物を使用。押え具４は、これを引っ張らない時、即ち集球時や持ち運び時等には、境界部５とその上部の保持部３との間のスペースがボールの大きさより狭くなる様に設け、排球時には押え具４を上方へ引っ張ればゴムバンド状物が伸びてそのスペースがボールより広くなる様に設けておく。【００１７】  この集球具１Ａの使用方法を図７で説明する。集球する時は、図７の（イ）に示す様に、柄９を持って、ボール１０の上から集球部７の部分を被せて軽く押さえる様にすると、ボール１０は集球部７の細長状物６の間を通り保持部３の方へ移行しそこに保持集球される。排出する時は、図７の（ロ）に示す様に、排出部８を容器１４の上へ持っていき、集球具１Ａの先端部（図の左端部）を少し上げ気味にしながら押え具４をＹ方向へ引っ張れば、ボール１０は境界部５とその上部の保持部３との間を通り排球部８の方へ移動し容器１４へ落下する。押え具４から手を離せば押え具４は縮み、ボールは排球部８の方へは移動出来なくなる。排球は出来ないが集球や持運びには支障はない。【００１８】  排球の為には、上述の様に、押え具４を手や指を使ってＹ方向へ引っ張るが、それがやりにくい時があり、スムーズに出来る様に集球具１Ａを事例として改善したものが本実施例の図１から図３に示す集球具１である。なお、改善前の集球具として図６に示す集球具１Ａを使用したが、これに限定されるものではなく、実施例の一つとして示したものである。【００１９】  本実施例に使用したかまぼこ型の補助具１１は、図４に示す様に、中央部分をくり抜いて空洞とし中空部１２を形成したもので、底面部には固定用穴１３を２個設けた。この固定用穴１３を利用し、図１〜図３に示す様に、図６の集球具１Ａの押え具４の上面部分に紐等で固定装着し本考案の集球具１を形成した。【００２０】  この集球具１の使い方は、前述の図７で説明の方法と同様である。ただ違う点は、補助具１１の無い図７の集球具１Ａの場合には、押え具４を直接手や指でつかんだりしてＹ方向へ引っ張ったが、補助具１１が有る集球具１の場合には、その補助具１１の中空部１２に指を掛��たり手で握ったりして補助具１１を介して押え具４を引っ張る。そのため、大変やり易くなり、簡単容易に且つ確実に開閉操作が出来る様になった。
【実施例２】
【００２１】  実施例１では、課題解決の為に中空部１２を設けたかまぼこ型の補助具１１を使用した。本実施例では、それ以外のタイプのもの等も含め例示説明する。図５の（イ）〜（ハ）にその実施例図を示す。【００２２】  図５の（イ）は、実施例１で使用のかまぼこ型（図４）を応用したもので、かまぼこ型の右と左の下端部に板状やシート状の延長部１５を設けたものである。この延長部１５を利用すれば、実施例１の場合と同様に押え具４に紐や接着剤等で装着する事が出来る。延長部１５に伸縮性を有するゴムバンド状物を使用すれば、開閉用の補助具１１が付いた押え具４となり、そのまま装着し使用する事も出来る。【００２３】  なお、かまぼこ型の上面のドーム部分や底面部分等には紐や帯状、リボン状等のものでも使用出来る。更には、例えば、保持部３をフレーム２にセットする前に、保持部３と押え具４、補助具１１とを一体化し形成しておけば、その一体化物をフレーム２にセットするだけで本考案の集球具１を作る事が出来る。
どの方法で設けたものも、実施例１と同様に、中空部１２を手でつかんだりして補助具１１を介して押え具４を引っ張り使用する。【００２４】  図５の（ロ）は、手や指で握ったり引っかけたりする部分を、かまぼこ型ではなく球状としたものである。球状物１６には棒状の繋ぎ用具１７を設け、その下端部（下端の先端部省略）を押え具４や保持部３等に装着し使用する。使用時には、球状物１６を手で握り押え具４をＹ方向へ引っ張り、境界部５の上部スペースを開くが、使い勝手等は実施例１と同様である。【００２５】  なお、図５の（ロ）の補助具１１の手で握ったりする部分は球状物１６だけでなく、棒状、多角形状、リング状、板状、或いはそれらの組合せ形状、更にはそれらを手や指で握ったりし易い様にする為の窪みや穴等を設けた物等をも使用する事が出来る。また、繋ぎ用具１７としては、棒状物だけでなく紐状や帯状、リボン状のものなども使用出来る。【００２６】  図５の（ハ）はリング状物１８の例を示したもので、このリング状物１８を押え具４等に装着し、手や指で握ったりして押え具４を引っ張って開閉操作を行うもので、実施例１と同様に使い易い。リング形状は円形でも楕円形でも多角形でも、或いはそれらや他の実施例等との組合わせ等であっても支障ない。
【符号の説明】
【００２７】  １、１Ａ、  集球具
２、    フレーム
３、    保持部
４、    押え具
５、    境界部
６、    細長状物
７、    集球部
８、    排球部
９、    柄
１０、  ボール
１１、  補助具
１２、  中空部
１３、  固定用穴
１４、  容器
１５、  延長部
１６、  球状物
１７、  繋ぎ用具
１８、  リング
【図１】
0003167222.tif 000003
【図２】
0003167222.tif 000004
【図３】
0003167222.tif 000005
【図４】
0003167222.tif 000006
【図５】
0003167222.tif 000007
【図６】
0003167222.tif 000008
【図７】
0003167222.tif 000009